(57)【要約】【課題】  同軸ケーブルの編組外部導体を解きほぐさない半田付けで装着されたカバーインシュレータと、シグナルコンタクトおよびグランドコンタクトが固定保持されたベースインシュレータを合着するだけで同軸ケーブルの接続が完了する同軸ケーブル用コネクタの提供。【解決手段】  ベースインシュレータには同軸ケーブル側との接続部が圧接接続構造であるシグナルコンタクト及びグランドコンタクトを固定保持させ、カバーインシュレータ１には、前記グランドコンタクトの接続部へ押し込まれる圧接部４と、同軸ケーブル７の編組外部導体６の編組を解きほぐさずに半田付けできるように立ち上がった半田付け部３が一体的に設けられたグランドプレート２を固定保持させ、同軸ケーブル７の編組外部導体を除去した部分と前記圧接部４をそれぞれベースインシュレータのシグナルコンタクトとグランドコンタクトの接続部へ押し込むように合着したとき合着を保持するロック機構を設ける。【選択図】        図１
2006338986.tif 000002
【特許請求の範囲】
【請求項１】
第１のハウジングには、同軸ケーブル側への接続部が導体を押し込まれると反力によりこれを圧挟して電気接触する圧接構造となっているシグナルコンタクトおよびグランドコンタクトが固定保持されており、
第２のハウジングには、前記グランドコンタクトの接続部へ押し込まれる押し込み部と同軸ケーブルの編組外部導体が編組状態のまま半田付けされるように立ち上がった半田付け部とが一体的に設けられているグランドプレートが固定保持されており、
グランドプレートの押し込み部と、グランドプレートの半田付け部に編組外部導体が半田付けされた同軸ケーブルの先方の編組外部導体が除去された部分とを、それぞれグランドコンタクトとシグナルコンタクトの接続部へ押し込むように、第１のハウジングと第２のハウジングとを合着したときにこの合着を保持するロック機構を有することを特徴とする同軸ケーブル用コネクタ。
【請求項２】
第１のハウジングに、シグナルコンタクトと、グランドコンタクトの複数組が整列固定保持され、第２のハウジングのグランドプレートが複数本の同軸ケーブルに対応するよう複数の半田付け部と複数の押し込み部を第１のハウジングにおける整列状態に対応した整列状態で有することを特徴とする請求項１記載の同軸ケーブル用コネクタ。
【請求項３】
請求項１又は請求項２の第１のハウジングが、１個の基体の１面側と反対面側に背中合わせ状態で形成され、請求項１又は請求項２の第２のハウジングが、前記１面側と反対面側の両面に合着されるものであることを特徴とする同軸ケーブル用コネクタ。
【発明の詳細な説明】
【技術分野】
【０００１】
本発明は、多重同軸ケーブル用コネクタの、ケーブル接続構造の技術分野に属する。
【背景技術】
【０００２】
多数の同軸ケーブルを接続する多重同軸ケーブル用コネクタにおいては、同軸ケーブルの信号線（中心導体）が接続されるシグナルコンタクトと、同軸ケーブルの編組外部導体（グランド導体）が接続されるグランドコンタクトとが１組となって、多数組がコネクタのベースインシュレータに固定保持されている。
そして、これらコンタクトとケーブルとの接続は、コンタクトの後端部分が立ち上げられており、それにＹ字形の切れ込みが切られており、この切れ込みへ中心導体や外部導体接続用の導体が押し込まれて圧接接続するようになっている。
【０００３】
図７は、このような圧接接続の例を示す図である。
コンタクトの後端立ち上がり部分のコンタクト接続部１６にはＹ字形の切れ込み１５が設けられており、この切れ込みの内縁は刃のようになっており、この部分へ絶縁被覆１７がついたままの信号線１８を押し込むと絶縁被覆１７が破れてコンタクトと信号線１８（中心導体）が接触する。切れ込みの幅は信号線の径よりも若干小さくしてあるので、信号線を押し込むことにより反力で信号線が圧挟され接続が得られる。
外部導体接続用の導体を押し込む場合も、絶縁被覆がないだけで信号線の場合と同様である。
【０００４】
外部導体接続の第１の例としては、同軸ケーブルの編組外部導体とその外側の外部絶縁被覆との間に長手方向に沿って設けられているグランド線を、外部絶縁被覆を除去して引き出しその前方部分をグランドコンタクトのＹ字形切れ込みへ押し込み接続している（例えば、特許文献１参照）。
【０００５】
第２の例としては、整列した多数の同軸ケーブルに渡る板状の接地部材を設け、この接地部材にはケーブル１本１本に対応させて前方に延びる接地プレートが突き出しており、同軸ケーブルの方は外部被覆を除去した後、編組外部導体を編組状態から解きほぐして箒状にして接地部材に半田付けし、対応する前方の接地プレートをグランドコンタクトのＹ字状切れ込みに押し込むようにしている（例えば、特許文献２参照）。
【特許文献１】特開２００１−２１７０１９号公報（図９）
【特許文献２】特開平１０−２１９７７号公報（図４、５、７、８、１０）
【発明の開示】
【発明が解決しようとする課題】
【０００６】
しかしながら、外部導体接続の前記第１の例では、同軸ケーブルの中に設けられているグランド線が、同軸ケーブルと共に曲がるようなフレキシブルな柔らかい線であるうえ、その固定が同軸ケーブルの外部被覆でくるまれているだけなので、コンタクト接続部のＹ字形切れ込み部への押し込みも行いにくいうえ、押し込まれた後も安定しないという問題がある。
【０００７】
また、第２の例においては、同軸ケーブルの編組外部導体の編組を同軸ケーブル１本毎に解きほぐして接地部材に半田付けしなければならず、この解きほぐしに手間がかかるという問題がある。
【０００８】
本発明の課題は上記のような問題を解決するとともに、シグナルコンタクトとグランドコンタクトが固定保持された第１のハウジングに、同軸ケーブルの外部編組導体を解きほぐさずに半田付けされたグランドプレートが固定保持された第２のハウジングを合着すると同軸ケーブルの接続が完了する同軸ケーブル用コネクタを提供することにある。
【課題を解決するための手段】
【０００９】
本発明は上記の課題を解決するために、下記の各構成を有する。
本発明の第１の構成（基本構成）は、第１のハウジングには、同軸ケーブル側への接続部が導体を押し込まれると反力によりこれを圧挟して電気接触する圧接構造となっているシグナルコンタクトおよびグランドコンタクトが固定保持されており、
第２のハウジングには、前記グランドコンタクトの接続部へ押し込まれる押し込み部と同軸ケーブルの編組外部導体が編組状態のまま半田付けされるように立ち上がった半田付け部とが一体的に設けられているグランドプレートが固定保持されており、
グランドプレートの押し込み部と、グランドプレートの半田付け部に編組外部導体が半田付けされた同軸ケーブルの先方の編組外部導体が除去された部分とを、それぞれグランドコンタクトとシグナルコンタクトの接続部へ押し込むように、第１のハウジングと第２のハウジングとを合着したときにこの合着を保持するロック機構を有することを特徴とする同軸ケーブル用コネクタである。
【００１０】
本発明の第２の構成は、前記第１の構成において、第１のハウジングに、シグナルコンタクトと、グランドコンタクトの複数組が整列固定保持され、第２のハウジングのグランドプレートが複数本の同軸ケーブルに対応するよう複数の半田付け部と複数の押し込み部を第１のハウジングにおける整列状態に対応した整列状態で有することを特徴とする同軸ケーブル用コネクタである。
【００１１】
本発明の第３の構成は、前記第１の構成又は第２の構成の第１のハウジングが、１個の基体の１面側と反対面側に背中合わせ状態で形成され、第１の構成又は第２の構成の第２のハウジングが、前記１面側と反対面側の両面に合着されるものであることを特徴とする同軸ケーブル用コネクタである。
【発明の効果】
【００１２】
本発明の同軸ケーブル用コネクタは、第２のハウジングに固定保持されたグランドプレートに同軸ケーブルの外部編組導体を解きほぐさずにそのまま半田付けできるように立ち上がった半田付け部を有しているので外部被覆を除去しただけでそのまま半田付けでき、編組導体を解きほぐす手間は不要となる。グランドコンタクトの接続部へ押し込まれる押し込み部は、第２のハウジングに固定保持されたグランドプレートと一体的に設けられているため安定して固定され、しっかりとしているためグランドコンタクトの接続部への切り込みも確実安定に行われ、押し込み後も安定した状態が得られる。
【００１３】
更に、外部編組導体がグランドプレートの半田付け部に、半田付けされた状態の第２のハウジングを、グランドプレートの押し込み部と、同軸ケーブルの外部編組導体を除去された部分をそれぞれ第１のハウジングに固定保持されたグランドコンタクトの接続部とシグナルコンタクトの接続部に押し込まれるようにして合着したときは、この合着を保持するためのロック機構が設けられているため、同軸ケーブル用コネクタと同軸ケーブルの接続は完結し、完結までの工程が非常に簡単であるという利点がある。
【発明を実施するための最良の形態】
【００１４】
本発明の実施においては、複数の同軸ケーブルの編組外部導体が同電位でそれがそのまま各グランドコンタクトに伝わることが最も望ましいから、編組外部導体は片側だけでなく両側で半田付け部に半田付けされるのが最良の実施の形態である。
【実施例】
【００１５】
以下、本発明の同軸ケーブル用コネクタの実施例を図面を参照して説明する。
図１は、本発明同軸ケーブル用コネクタの、複数の同軸ケーブルが装着されたカバーインシュレータ１（課題解決手段にいう、第２のハウジング）の内面を見た平面図である。カバーインシュレータ１にグランドプレート２が固定保持されている。図２はグランドプレート２の構造詳細図である。（ａ）は同軸ケーブルが配列される平面から見た平面図であり、（ｂ）はこれを左側面から見た側面図であり、（ｃ）は、（ａ）を下方即ち接続する同軸ケーブルの軸方向から見た正面図である。
【００１６】
グランドプレート２は、固定保持部５でカバーインシュレータ１に固定保持される。半田付け部３は（ａ）の図では紙面の手前側に立ち上がっており、図１に示すようにこの半田付け部３に沿うように配置された同軸ケーブル７の編組外部導体６が編組状態のまま半田付け部３に半田付けされる。この部分より先方（図では上方）の同軸ケーブルは編組外部導体６が除去される。
【００１７】
半田付け部３の付け根部分からは前方（図では上方）へ、圧接部４（課題解決手段にいう、押し込み部）がクランク状に延びており、このクランク状の横方向部分がグランドコンタクトの接続部の切れ込み部に押し込まれる部分である。
このようにグランドプレート２は、多数の同軸ケーブル７に渡って一体で形成されており、各同軸ケーブルに対応する半田付け部３も圧接部４も一体的に形成されている。
このため、圧接部はグランドコンタクトの切れ込み部に押し込む（圧入する）際にぐらつくことはない。
【００１８】
図３は、シグナルコンタクト９とグランドコンタクト１０が固定保持されたベースインシュレータ８（課題解決手段にいう、第１のハウジング）の構造図であり、（ａ）は同軸ケーブルの配列面で見た内側平面図であり、（ｂ）は（ａ）のＡ−Ａ側断面図である。この例は１個の基体の１面側と反対面側に中心線に関して対称に背中合わせでベースインシュレータ８が形成された例である。
【００１９】
シグナルコンタクト９およびグランドコンタクト１０の後端接続部はそれぞれＹ字形切れ込み部１２および同１１となっている。
Ｙ字形切れ込み部１２および同１１は、図の（ｂ）で見る通りＹ字形の切れ込みが設けられており、この部分にそれぞれ同軸ケーブル７の中心導体およびカバーインシュレータ１側グランドプレート２の圧接部４が押し込まれ圧接接続することになる。
【００２０】
シグナルコンタクト９のＹ字形切れ込み部１２は、ピッチを考慮して同軸ケーブル７の軸方向に対して斜めの向きになっている。このＹ字形切れ込み部１２に同軸ケーブル７の信号線（中心導体）を絶縁被覆ごと押し込むことにより絶縁被覆が破れて信号線とシグナルコンタクト９との圧接接続が達成される。
【００２１】
図４は、グランドコンタクト１０の構造図である。
（ａ）はコンタクト配列平面で見た平面図であり、（ｂ）はコンタクト配列方向（（ａ）の下方）から見た側面図であり、（ｃ）はコンタクト配列後方（（ａ）の右方）から見た図である。
相手方コネクタとの接触は接触部１３で（ａ）に示された面で行われる。
【００２２】
図５は、シグナルコンタクト９の構造図である。
（ａ）は、図３の（ａ）においてシグナルコンタクト９を左側から見た場合に相当する側面図である。但し、（ａ）においては接触部１４はベースインシュレータ８の中に入っていて見えない。図５の（ｃ）は、（ａ）を上から見た平面図であり、（ｂ）は（ｃ）を左から見た正面図である。
【００２３】
図１のカバーインシュレータ１と図３のベースインシュレータを合着した際には当然のことながら、図１の圧接部４は図３のＹ字形切り込み部１１に押し込まれ、図１の同軸ケーブルで編組外部導体６を除去された先方部分（図では上方部分）は図３のシグナルコンタクト９のＹ字形切れ込み部１２に押し込まれる位置関係でロックされることになる。
ロック機構は通常採用される構造のものであり、特に限定されるものではない。
【００２４】
図６は、同軸ケーブル７の編組外部導体６がグランドプレート２の半田付け部３に半田付けされたカバーインシュレータ１とシグナルコンタクト９およびグランドコンタクト１０が固定保持されたベースインシュレータ８とを合着させた状態の一部破断構造図である。（ａ）は平面図、（ｂ）は（ａ）のＡ−Ａ断面図である。
同軸ケーブルの先方編組外部導体が除去された部分（（ａ）の図中、１点鎖線で示されている部分）はシグナルコンタクト９のＹ字形切れ込み部１２へ絶縁被覆ごと押し込まれ、絶縁被覆が破れて中心導体がＹ字形切れ込み部１２に圧挟されて圧接接続が形成される。
【００２５】
カバーインシュレータ１側のグランドプレート２の圧接部４（図２参照）は、グランドコンタクト１０（図４）のＹ字形切れ込み部１１へ押し込まれてここでも圧接接続が形成される。
【００２６】
図６の（ｂ）では縦方向１点鎖線の右側は図が省略されているが、右側にも１点鎖線に関して対称な構造が存在する。即ち、両面からカバーインシュレータが合着されるものである。
勿論、片面だけのものも考えられるし、接続される同軸ケーブルの本数には限定はない。
【図面の簡単な説明】
【００２７】
【図１】本発明同軸ケーブル用コネクタの、実施例の複数の同軸ケーブルが装着されたカバーインシュレータの内面を見た平面図である。
【図２】本発明実施例のカバーインシュレータに固定保持されるグランドプレートの構造詳細図である。
【図３】シグナルコンタクトとグランドコンタクトが固定保持された本発明実施例におけるベースインシュレータの構造図である。
【図４】図３のグランドコンタクトの構造図である。
【図５】図３のシグナルコンタクトの構造図である。
【図６】本発明実施例の、同軸ケーブルが装着されたカバーインシュレータとベースインシュレータが合着した状態を示す一部破断図である。
【図７】Ｙ字形切れ込みを用いた圧接接続説明図である。
【符号の説明】
【００２８】
１  カバーインシュレータ
２  グランドプレート
３  半田付け部
４  圧接部
５  固定保持部
６  編組外部導体
７  同軸ケーブル
８  ベースインシュレータ
９  シグナルコンタクト
１０  グランドコンタクト
１１  Ｙ字形切れ込み部
１２  Ｙ字形切れ込み部
１３  接触部
１４  接触部
１５  Ｙ字形切れ込み
１６  コンタクト接続部
１７  絶縁被覆
１８  信号線（中心導体）
【図１】
2006338986.tif 000003
【図２】
2006338986.tif 000004
【図３】
2006338986.tif 000005
【図４】
2006338986.tif 000006
【図５】
2006338986.tif 000007
【図６】
2006338986.tif 000008
【図７】
2006338986.tif 000009